(57)【要約】      （修正有）【課題】確実な電動と、精確な横方向移動を実現できる中継ぎ裁断機を提供する。【解決手段】台座、裁断台と動力源を備える。台座は誘導部材と歯車組を有し、歯車組は一つの主動歯車、複数の受動歯車と複数の伝動歯車とを有する。裁断台は本体を有し、本体の底部には別の誘導部材とラック歯車を設け、裁断台を摺動自在にて台座の誘導部材に設け、ラック歯車を伝動歯車と噛合させ、裁断台によって金属棒材を挟み込む。動力源を台座の主動歯車に設けることにより、主動歯車の回転を駆動する。主動歯車によって、受動歯車と伝動歯車を駆動し回転させる。さらに伝動歯車は裁断台のラック歯車を駆動し、台座において中継ぎの移動を行える。【選択図】図５
0003165652.tif 000002
【実用新案登録請求の範囲】
【請求項１】
台座、裁断台と動力源とを備えた中継ぎ裁断機であって、
前記台座は、誘導部材と歯車組とを含み、前記歯車組は一つの主動歯車、複数の受動歯車と複数の伝動歯車とを含み、
前記裁断台は、本体を有し、前記本体の底部に別の誘導部材とラック歯車が設けられ、前記裁断台の前記別の誘導部材は摺動自在に前記台座の前記誘導部材に設けられ、前記ラック歯車は前記伝動歯車と噛合され、前記裁断台によって金属棒材を挟み、
前記動力源は前記台座の主動歯車に設けられ、前記主動歯車の回転を制御し、前記主動歯車によって前記受動歯車と前記受動歯車を駆動し回転させ、前記伝動歯車はさらに前記裁断台の前記ラック歯車を前記台座において中継ぎの移動を駆動することを特徴とする、中継ぎ裁断機。
【請求項２】
隣接する２つの前記伝動歯車の中心点の距離は前記ラック歯車の長さより短く、前記伝動歯車は互いに接触されず、前記主動歯車と前記受動歯車と噛合され、前記受動歯車と前記伝動歯車は同じ軸によって連接され、
前記台座の前記誘導部材は滑りレールであり、前記本体の別の誘導部材は滑り駒であり、前記台座は上面と２つの側壁とを含み、
前記の誘導部材は前記台座の前記上面と前記側壁の付近部に設けられ、前記台座の２つの前記誘導部材の間に開放空間が形成され、前記開放空間に前記ラック歯車を延在させ、
前記動力源はモータであり、
前記台座にはさらに蓋体を設け、前記蓋体は前記台座と結合されるとともに、前記歯車組を被せることを特徴とする、請求項１に記載の中継ぎ裁断機。
【請求項３】
隣接する２つの前記伝動歯車の中心点の距離は前記ラック歯車の長さより短く、前記伝動歯車は互いに接触されず、前記主動歯車と前記受動歯車と噛合され、そのうち一つの前記伝動歯車は前記主動歯車と同じ軸によって連接され、もう一つの前記伝動歯車は前記受動歯車と同じ軸によって連接され、
前記台座の前記誘導部材は滑りレールであり、前記本体の別の誘導部材は滑り駒であり、前記台座は上面と２つの側壁とを含み、
前記台座には２つの前記誘導部材を設け、前記台座の２つの前記誘導部材は前記台座の前記上面と前記側壁の付近部に設けられ、前記台座の２つの前記誘導部材の間に開放空間が形成され、前記開放空間に前記ラック歯車を延在させ、
前記動力源はモータであり、
前記台座にはさらに蓋体を設け、前記蓋体は前記台座と結合されるとともに、前記歯車組を被せることを特徴とする、請求項１に記載の中継ぎ裁断機。
【考案の詳細な説明】
【技術分野】
【０００１】
本考案は一種の裁断機に関し、とくに一種の確実に伝動でき、行程を浪費されない中継ぎ裁断機に関する。
【背景技術】
【０００２】
台湾特許公告第２０５７６２号の「引き延ばし式伸縮アームの構造」によれば、作業台（４０）鋸の後側に受け台（４２）が枢設されており、受け台（４２）は伸縮アーム（８０）に枢接され、伸縮アーム（８０）の先端部に固設された鋸盤（９０）が前後行程に摺動可能であり、幅が伸縮アーム（８０）の摺動制限に達した木材を１回の裁断加工で完成できる。伸縮アーム（８０）の両内側が底部端付近部に対応する壁面には、長軸方向に沿って、それぞれ凹み状の滑りレール（８２）が設けられ、伸縮アーム（８０）の両内側の滑りレール（８２）の所定位置において、複数の軸心（６０）が直立して架設され、各軸心（６０）はさらにローラ（７０）に枢設され、それぞれ滑りレール（８２）に対応してはめ込む。一部の軸心（６０）は偏心調節機能を備え、軸心（６０）の軸線と滑りレール（８２）を所定の対応点との距離に調節することによって、伸縮アーム（８０）はより正確に受け台（４２）にて摺動できる。
【先行技術文献】
【特許文献】
【０００３】
【特許文献１】台湾特許公告第２０５７６２号公報
【考案の概要】
【考案が解決しようとする課題】
【０００４】
しかし、前述の従来技術は滑りレールとローラとの組合せによる移動の設計に欠点があり、滑りレールとローラの移動には精確な移動距離を知ることができない。よって、公知技術の設計は改善の余地があり、本考案者は本考案によって、公知技術の課題の軽減または排除することを図る。
【０００５】
本考案の中継ぎ裁断機が解決しようとする技術課題は、公知技術の設計で精確な移動距離を知ることができない問題点を解決することにある。これを鑑みて、本考案者は改善方法を研究し、使用者に便利、使いやすい設計の提供に成功した。
【課題を解決するための手段】
【０００６】
上記課題を解決するために、本考案の請求項１は、台座、裁断台と動力源とを備えた中継ぎ裁断機であって、前記台座は、誘導部材と歯車組とを含み、前記歯車組は一つの主動歯車、複数の受動歯車と複数の伝動歯車とを含み、前記裁断台は、本体を有し、前記本体の底部に別の誘導部材とラック歯車が設けられ、前記裁断台の前記別の誘導部材は摺動自在にて、前記台座の前記誘導部材に設けられ、前記ラック歯車は前記伝動歯車と噛合され、前記裁断台によって金属棒材を挟み、前記動力源は前記台座の主動歯車に設けられ、前記主動歯車の回転を制御し、前記主動歯車によって前記受動歯車と前記受動歯車を駆動し回転させ、前記伝動歯車はさらに前記裁断台の前記ラック歯車を前記台座において中継ぎの移動を駆動されることを特徴とする。
【０００７】
また、本考案の請求項２は、請求項１において、隣接する２つの前記伝動歯車の中心点の距離は前記ラック歯車の長さより短く、前記伝動歯車は互いに接触されず、前記主動歯車と前記受動歯車と噛合され、前記受動歯車と前記伝動歯車は同じ軸によって連接され、前記台座の前記誘導部材は滑りレールであり、前記本体の別の誘導部材は滑り駒である。前記台座は上面と２つの側壁とを含み、前記の誘導部材を前記上面に設け、前記台座の前記誘導部材は前記側壁の付近部に設けられ、前記台座に２つの前記誘導部材を設け、前記台座の２つの前記誘導部材を前記台座の前記上面と前記側壁の付近部に設け、前記台座の２つの前記誘導部材の間に開放空間を形成し、前記ラック歯車を前記開放空間に延在させ、前記動力源はモータであり、前記台座にはさらに蓋体を設け、前記蓋体を前記台座と結合され、前記蓋体によって前記歯車組を被せることを特徴とする。
【０００８】
さらに、本考案の請求項３は、請求項１において、隣接する２つの前記伝動歯車の中心点の距離は前記ラック歯車の長さより短く、前記伝動歯車は互いに接触されず、前記主動歯車と前記受動歯車と噛合され、そのうち一つの前記伝動歯車は前記主動歯車と同じ軸によって連接され、他の前記伝動歯車は前記受動歯車と同じ軸によって連接され、前記台座の前記誘導部材は滑りレールであり、前記本体の別の誘導部材は滑り駒である。前記台座は上面と２つの側壁とを含み、前記の誘導部材を前記上面に設け、前記台座の前記誘導部材を前記側壁の付近部に設け、前記台座に２つの前記誘導部材を設け、前記台座の２つの前記誘導部材を前記台座の前記上面と前記側壁の付近部に設け、前記台座の２つの前記誘導部材の間に開放空間を形成し、前記ラック歯車を前記開放空間に延在させ、前記動力源はモータであり、前記台座にはさらに蓋体を設け、前記蓋体を前記台座と結合され、前記蓋体によって前記歯車組を被せることを特徴とする。
【考案の効果】
【０００９】
以下の説明内容から、本考案は以下の長所をまとめることができる。
【００１０】
＜イ＞本考案の中継ぎ裁断機は、ラック歯車と歯車組との噛合によって、確実な伝動と、裁断機を台座において精確な横方向移動を実現できる。
【００１１】
＜ロ＞本考案の中継ぎ裁断機は、ラック歯車と伝動歯車との噛合により、確実な伝動と、金属棒材の裁断寸法を精確に計算できる。
【００１２】
＜ハ＞本考案の中継ぎ裁断機は、ラック歯車を伝動歯車と中継ぎで噛み合わせることにより、台座に余分なラック歯車の格納空間を不要とし、ラック歯車を台座において完全に移動でき、行程を浪費する恐れがない。
【図面の簡単な説明】
【００１３】
【図１】本考案の中継ぎ裁断機の立体外観図である。
【図２】本考案の中継ぎ裁断機の立体分解図（その１）である。
【図３】本考案の中継ぎ裁断機の立体分解図（その２）である。
【図４】図１の４−４断面線から取った断面視図であり、歯車組の噛合を示す図である。
【図５】図１の５−５断面線から取った断面視図であり、ラック歯車と伝動歯車との噛合を示す図である。
【図６】図１の６−６断面線から取った断面視図であり、ラック歯車と伝動歯車との噛合を示す図である。
【図７】本考案の中継ぎ裁断機の稼働図（その１）である。
【図８】本考案の中継ぎ裁断機の稼働図（その２）である。
【図９】本考案の中継ぎ裁断機の稼働図（その３）である。
【考案を実施するための形態】
【実施例１】
【００１４】
本考案による技術、手段ならびに効果は、好ましい実施例と図式を合わせて、以下の通り説明する。ただし、これらは説明を目的とし、本考案の請求範囲はこれらの構造に制限されない。
【００１５】
図１は本考案の中継ぎ裁断機の立体外観図である。本考案の中継ぎ裁断機は主に、台座１０、裁断台２０と動力源３０とを備える。
【００１６】
図２と図３は、本考案の中継ぎ裁断機の立体分解図である。台座１０は上面１０１と２つの側壁１０２とを含み、上面１０１には２つの側壁１０２の付近場所においてそれぞれ誘導部材１１が設けられる。誘導部材１１には本実施例において、滑りレールを設ける。２つの誘導部材１１の間には開放空間１０３が形成され、開放空間１０３は台座１０の内部に連絡されている。台座１０のそのうち一つの側壁１０２に歯車組１２が設けられ、歯車組１２は一つの主動歯車１２１、複数の受動歯車１２２と複数の伝動歯車１２３とを含む。主動歯車１２１と受動歯車１２２を台座１０の外部に取り付け、伝動歯車１２３を台座１０の内部に取り付け、主動歯車１２１を受動歯車１２２と噛合されている。本実施例において、受動歯車１２２は合計５つを有し、受動歯車１２３は合計３つを有する。受動歯車１２２と伝動歯車１２３の数は台座１０の横方向の距離と金属棒材の裁断長さによって決められる。受動歯車１２２は横方向に配列し、互いに噛合されている。伝動歯車１２３の数は受動歯車１２２より少なく、伝動歯車１２３と受動歯車１２２は同じ軸によって連接され、伝動歯車１２３は互いに接触されず、伝動歯車１２３は台座１０の開放空間１０３に対応されている。台座１０はさらに蓋体１０４を有し、蓋体１０４は台座１０の側壁１０２に結合され、蓋体１０４を歯車組１２に被せておき、歯車組１２を外部に露出させない。
【００１７】
裁断台２０は本体２１を有し、本体２１によって金属棒材を挟み、本体２１の内部に金属棒材を裁断するためのバイトが設けられている。本体２１底部の両端にはそれぞれ２つの誘導部材２２が設けられ、誘導部材２２は本実施例において、滑り駒を実施する。誘導部材２２は摺動自在に誘導部材１１に設けられ、両者を組合せて相対的に摺動可能である。両端部の誘導部材２２の間にはラック歯車２３が設けられ、ラック歯車２３は台座１０の開放空間１０３に延在され、ラック歯車２３は伝動歯車１２３と噛合される。なお、ラック歯車２３は第１端２３１と第２端２３２とを含む。
【００１８】
動力源３０は台座１０の蓋体１０４に穿設され、動力源３０に軸心３１が設けられる。軸心３１を主動歯車１２１に穿設させ、軸心３１によって主動歯車１２１を駆動し回転させる。本実施例において、動力源３０はモータである。
【００１９】
軸心３１には主動歯車１２１と伝動歯車１２３を同時に穿設しても良い。他の伝動歯車１２３と一部の受動歯車１２２が同じ軸によって結合され、伝動歯車１２３は互いに接触されず、ラック歯車２３は中継ぎ方式により、伝動歯車１２３において移動される。
【００２０】
図４乃至図６は、本考案の中継ぎ裁断機の断面視図である。歯車組１２の主動歯車１２１は受動歯車１２２と噛合させ、受動歯車１２２は互いに噛合される。主動歯車１２１が回転するときに、受動歯車１２２を駆動し回転させる。裁断台２０のラック歯車２３は受動歯車１２３と噛合され、受動歯車１２３と一部の受動歯車１２２は同じ軸に設けられる。受動歯車１２２が回転するときに、伝動歯車１２３を連動して回転することによって、ラック歯車２３の横方向への移動を駆動する。
【００２１】
図７乃至図９は、本考案の中継ぎ裁断機の稼働図である。裁断台２０を台座１０に設け、裁断台２０は動力源３０（図１参照）より動力を提供し、主動歯車１２１の回転を駆動する。主動歯車１２１によって受動歯車１２２を駆動し回転させ、受動歯車１２２と同じ軸に取り付けられた伝動歯車１２３の回転によって、裁断台座２０のラック歯車２３を横方向に移動させる。
【００２２】
図７を参照する。ラック歯車２３の第１端２３１は台座１０の壁面の付近部に位置され、ラック歯車２３の第２端２３２を伝動歯車１２３と噛合されている。裁断台２０によって金属棒材を挟み、歯車組１２の回転によって、ラック歯車２３の移動を駆動し、ラック歯車２３を伝動歯車１２３において移動させ、２つの隣接する伝動歯車１２３の中心点の距離はラック歯車２３の長さより短い。また、図８を参照する。ラック歯車２３の第１端２３１と第２端２３２はそれぞれ異なる伝動歯車１２３と噛合され、引き続き、ラック歯車２３を横方向に移動することによって、ラック歯車２３の中間部を伝動歯車１２３と噛合させ、ラック歯車２３は台座１０において中継ぎ移動をされる（図９参照）。
【００２３】
ラック歯車２３によって、裁断台２０を所定の位置に移動させた後に、金属棒材の裁断を行うことができる。本考案はラック歯車２３と伝動歯車１２３の噛合を利用し、確実に伝動できると共に、金属棒材の裁断寸法を精確に計算できる。さらに、本考案のラック歯車２３を伝動歯車に中継ぎで噛合することにより、台座１０に余分なラック歯車２３の格納空間の確保が不要となり、ラック歯車２３は台座１０において完全に移動でき、行程を浪費する恐れがない。
【００２４】
以上に説明したものは、本考案の好ましい実施例であり、本考案実施の範疇に制限を加えるものではなく、本考案による数値的な変更又は同等効果を有する要素の置き換え、若しくは本考案の請求範囲による変更又は修整とも本考案の技術範疇に含まれるものとする。
【符号の説明】
【００２５】
１０       台座
１０１     上面
１０２     側壁
１０３     開放空間
１０４     蓋体
１１       誘導部材
１２       歯車組
１２１     主動歯車
１２２     受動歯車
１２３     伝動歯車
２０       裁断台
２１       本体
２２       誘導部材
２３       ラック歯車
２３１     第１端
２３２     第２端
３０       動力源
３１       軸心
【図１】
0003165652.tif 000003
【図２】
0003165652.tif 000004
【図３】
0003165652.tif 000005
【図４】
0003165652.tif 000006
【図５】
0003165652.tif 000007
【図６】
0003165652.tif 000008
【図７】
0003165652.tif 000009
【図８】
0003165652.tif 000010
【図９】
0003165652.tif 000011